(57)【要約】【課題】簡便な構成で励起光を有効活用できる光源装置及びプロジェクターを提供する。【解決手段】本発明の光源装置は、第１発光領域と第２発光領域とを有し、第１の波長帯の励起光を射出する発光素子と、平面視において第１発光領域と重なるように設けられ、第１発光領域から射出された第１の励起光の照射により、第１の波長帯とは異なる第２の波長帯の光を発する蛍光体層と、蛍光体層の発光素子とは反対側に設けられ、第２の波長帯の光を透過させ、第１の波長帯の光を反射する反射素子と、蛍光体層と反射素子との間の光路中に配置され、第２発光領域から射出された第２の励起光および蛍光体層から射出された光を透過させ、反射素子にて反射した第２の励起光のうち少なくとも一部が蛍光体層に入射するように第２の励起光を導く導光部と、を備える。【選択図】図３
2015135461.tif 000002
【特許請求の範囲】
【請求項１】
第１発光領域と第２発光領域とを有し、第１の波長帯の励起光を射出する発光素子と、
平面視において前記第１発光領域と重なるように設けられ、前記第１発光領域から射出された第１の励起光の照射により、前記第１の波長帯とは異なる第２の波長帯の光を発する蛍光体層と、
前記蛍光体層の前記発光素子とは反対側に設けられ、前記第２の波長帯の光を透過させ、前記第１の波長帯の光を反射する反射素子と、
前記蛍光体層と前記反射素子との間の光路中に配置され、前記第２発光領域から射出された第２の励起光および前記蛍光体層から射出された光を透過させ、前記反射素子にて反射した前記第２の励起光のうち少なくとも一部が前記蛍光体層に入射するように前記第２の励起光を導く導光部と、
を備えることを特徴とする光源装置。
【請求項２】
前記反射素子は、前記蛍光体層から射出される光の主光線と直交する面に対して傾いた傾斜部を含み、前記第２発光領域から射出された第２の励起光の少なくとも一部を前記蛍光体層に入射するように反射させることを特徴とする請求項１に記載の光源装置。
【請求項３】
前記傾斜部は、前記蛍光体層に対して凹面となる曲面を備えることを特徴とする請求項２に記載の光源装置。
【請求項４】
前記蛍光体層は、前記発光素子と熱的に接触していることを特徴とする請求項２又は３に記載の光源装置。
【請求項５】
前記導光部は集光光学系からなることを特徴とする請求項１に記載の光源装置。
【請求項６】
前記第１発光領域は、前記発光素子の発光領域の片側の領域に設けられ、
前記第２発光領域は、前記発光領域の残りの領域に設けられていることを特徴とする請求項５に記載の光源装置。
【請求項７】
前記蛍光体層は、前記集光光学系の光軸に対し、前記第２発光領域と対称な領域を含むように設けられていることを特徴とする請求項５又は６に記載の光源装置。
【請求項８】
前記反射素子を透過した前記第２の波長帯の光の進行方向を補正する補正部を備えることを特徴とする請求項５〜７のいずれか一項に記載の光源装置。
【請求項９】
前記第１発光領域は、前記発光素子の発光領域の片側の領域に設けられ、
前記第２発光領域は、前記発光領域の残りの領域に設けられ、
前記補正部は、前記蛍光体層に対向する側が前記第２発光領域に対向する側より厚みが厚い楔状の形状を有することを特徴とする請求項８に記載の光源装置。
【請求項１０】
前記反射素子を透過した前記第２の波長帯の光の光路上に配置され、複数の第１レンズを有する第１レンズアレイと、
前記第１レンズアレイの光射出側に配置され、前記複数の第１レンズに対応する複数の第２レンズを有する第２レンズアレイと、をさらに備え、
前記第１発光領域は、前記発光素子の発光領域の片側の領域に設けられ、
前記第２発光領域は、前記発光領域の残りの領域に設けられ、
前記複数の第１レンズ各々の光軸は、対応する前記第２レンズの光軸に対して偏心しており、
前記第１レンズが前記補正部に相当することを特徴とする請求項８に記載の光源装置。
【請求項１１】
前記第１発光領域と前記第２発光領域とは、前記集光光学系の光軸に直交する平面における形状が相似形であることを特徴とする請求項５〜１０のいずれか一項に記載の光源装置。
【請求項１２】
前記蛍光体層の面積は、前記発光素子の面積よりも小さいことを特徴とする請求項１〜１１のいずれか一項に記載の光源装置。
【請求項１３】
前記第１発光領域および前記第２発光領域は、前記集光光学系の光軸に沿う方向から見て矩形状であることを特徴とする請求項１〜１２のいずれか一項に記載の光源装置。
【請求項１４】
前記第１発光領域と前記第２発光領域とは、前記集光光学系の光軸に直交する平面における面積が互いに等しいことを特徴とする請求項１〜１３のいずれか一項に記載の光源装置。
【請求項１５】
前記発光素子は、前記励起光を射出する発光ダイオードまたは半導体レーザーを有することを特徴とする請求項１〜１４のいずれか一項に記載の光源装置。
【請求項１６】
請求項１〜４のいずれか一項に記載の光源装置と、
前記光源装置から射出された光を画像情報に応じて変調する光変調装置と、
前記光変調装置にて変調された光を投写する投写レンズと、を備えることを特徴とするプロジェクター。
【請求項１７】
前記発光素子の中心から前記反射素子を見込む立体角をΩａ、
前記発光素子の面積をＳａ、
前記光変調装置の面積をＳｂ、
前記投写レンズの飲み込み半角で規定される立体角をΩｂ、としたとき、
ΩａがＳｂ×Ωｂ／Ｓａ以下の関係を満たすことを特徴とする請求項１６に記載のプロジェクター。
【請求項１８】
請求項５〜１５のいずれか一項に記載の光源装置と、
前記光源装置から射出された光を画像情報に応じて変調する光変調装置と、
前記光変調装置にて変調された光を投写する投写レンズと、を備えることを特徴とするプロジェクター。
【発明の詳細な説明】
【技術分野】
【０００１】
本発明は、光源装置及びプロジェクターに関するものである。
【背景技術】
【０００２】
従来、レーザー等の光源から射出された励起光を蛍光体層に照射し、蛍光体層から発せられる光を照明光とする光源装置が知られている。また、この光源装置は、光変調装置を有するプロジェクターに用いられ、高輝度化のニーズに対応する技術が提案されている（例えば、特許文献１参照）。
【０００３】
上記特許文献１に記載の光源装置は、主励起光を射出する第１光源、および主励起光を蛍光に変換して射出する蛍光層を有する第１光源装置と、副励起光を射出する第２光源を有する第２光源装置と、第１光源装置の光路上に配置され、励起光反射部および励起光通過部を有する励起光反射ミラーと、を備える。副励起光は励起光通過部を介して、主励起光とは反対側から蛍光層に入射し、蛍光層は、副励起光も蛍光に変換して射出する。
【先行技術文献】
【特許文献】
【０００４】
【特許文献１】特開２０１１−１２８４８２号公報
【発明の概要】
【発明が解決しようとする課題】
【０００５】
しかしながら、上記従来技術の光源装置は、主励起光を射出する第１光源だけでなく、副励起光を射出する第２光源装置が必要である。さらに、副励起光を導くレンズ、励起光反射ミラーを備える構成のため、部品点数の増加や、装置が大型化するという課題がある。また、励起光反射ミラーは、副励起光を透過するために一部に励起光を透過する領域が設けられているため、第１光源からの励起光の一部が有効に使用されないという課題がある。
【０００６】
本発明はこのような事情に鑑みてなされたものであって、簡便な構成で励起光を有効活用できる光源装置及びプロジェクターを提供することを目的とする。
【課題を解決するための手段】
【０００７】
本発明の第１態様に従えば、
第１発光領域と第２発光領域とを有し、第１の波長帯の励起光を射出する発光素子と、平面視において前記第１発光領域と重なるように設けられ、前記第１発光領域から射出された第１の励起光の照射により、前記第１の波長帯とは異なる第２の波長帯の光を発する蛍光体層と、前記蛍光体層の前記発光素子とは反対側に設けられ、前記第２の波長帯の光を透過させ、前記第１の波長帯の光を反射する反射素子と、前記蛍光体層と前記反射素子との間の光路中に配置され、前記第２発光領域から射出された第２の励起光および前記蛍光体層から射出された光を透過させ、前記反射素子にて反射した前記第２の励起光のうち少なくとも一部が前記蛍光体層に入射するように前記第２の励起光を導く導光部と、を備える光源装置が提供される。
【０００８】
第１態様に係る光源装置の構成によれば、光源の第１発光領域から射出された第１の励起光は、蛍光体層に入射し、光源の第２発光領域から射出された第２の励起光の少なくとも一部は、反射素子にて反射し、さらに導光部を通過して蛍光体層に入射する。すなわち、蛍光体層には、光源側、および光源とは反対側の両側から励起光が照射されることとなる。これによって、光源とは反対側から励起光を蛍光体層に照射するための複雑な構造を採用することなく、蛍光体層の両側に励起光を照射することができる。これによって第２の波長帯の光を効率的に射出する光源装置の提供が可能となる。また、部品の増加を抑制することができる。また、光源の発光領域の全ての領域に蛍光体層が重なる構成に比べ、小さな面積の領域から第２の波長帯の光を発することとなるので、単位面積当たりの光束量を高めることができる。したがって、光源装置の簡素化や小型化を図ると共に、励起光を効率良く利用して高輝度の第２の波長帯の光、例えば白色光や、赤色光、緑色光等の可視光の射出が可能な光源装置を提供できる。
【０００９】
上記第１態様において、前記反射素子は、前記蛍光体層から射出される光の主光線と直交する面に対して傾いた傾斜部を含み、前記第２発光領域から射出された第２の励起光の少なくとも一部を前記蛍光体層に入射するように反射させる構成としてもよい。
この構成によれば、第２発光領域から射出された第２の励起光の少なくとも一部を反射素子の傾斜部により反射させて蛍光体層に入射させることができる。よって、複雑な構造を採用すること無く、簡便な構成により励起光が有効活用されることで蛍光体層の表裏両面に励起光を照射することができる。
【００１０】
上記第１態様において、前記傾斜部は、前記蛍光体層に対して凹面となる曲面を備える構成としてもよい。
この構成によれば、第２発光領域から主光線に対して大きな角度を有して射出された第２の励起光も、蛍光体層に向けて効率良く反射することができる。
【００１１】
上記第１態様において、前記蛍光体層は、前記発光素子と熱的に接触している構成としてもよい。
この構成によれば、蛍光体層および発光素子が熱的に接触しているので、蛍光体層の熱を効率良く放出することができる。よって、蛍光体層は、熱による劣化が抑制され、長期に亘って安定した光を射出することができる。
【００１２】
上記第１態様において、前記導光部は集光光学系からなる構成としてもよい。
この構成によれば、光源の第２発光領域から射出された第２の励起光の少なくとも一部は、反射素子にて反射し、さらに導光部を通過して蛍光体層に入射する。よって、第２の波長帯の光を効率的に射出する光源装置の提供が可能となる。
【００１３】
上記第１態様において、前記第１発光領域は、前記発光素子の発光領域の片側の領域に設けられ、前記第２発光領域は、前記発光領域の残りの領域に設けられている構成としてもよい。
この構成によれば、簡素な構成の集光光学系を用いて、第２発光領域から射出される第２の励起光を効率良く蛍光体層に導くことが可能となる。また、蛍光体層が発光領域の片側に設けられるという簡素な構造なので、蛍光体層を所望の位置に容易に設けることや、光源装置製造のさらなる簡素化が可能となる。
【００１４】
上記第１態様において、前記蛍光体層は、前記集光光学系の光軸に対し、前記第２発光領域と対称な領域を含むように設けられている構成としてもよい。
この構成によれば、第２発光領域から射出される第２の励起光を無駄なく、光源とは反対側から蛍光体層に入射させることが可能となる。よって、さらに高輝度の第２の波長帯の光の射出が可能な光源装置を提供できる。
【００１５】
上記第１態様において、前記反射素子を透過した前記第２の波長帯の光の進行方向を補正する補正部を備える構成としてもよい。
蛍光体層は、光源の発光領域の一部となる第１発光領域に設けられているので、反射素子から射出された光の光軸は、集光光学系の光軸に対し傾いたものとなる。
この構成によれば、光源装置は、補正部を備えているので、光軸に対する傾きを補正することができる。これによって、本発明による光源装置では、光の損失を抑制し、照明対象に効率良く第２の波長帯の光を照射することが可能となる。
【００１６】
上記第１態様において、前記第１発光領域は、前記発光素子の発光領域の片側の領域に設けられ、前記第２発光領域は、前記発光領域の残りの領域に設けられ、前記補正部は、前記蛍光体層に対向する側が前記第２発光領域に対向する側より厚みが厚い楔状の形状を有する構成としてもよい。
この構成によれば、光源装置は上述した楔状の補正部を備えているので、反射素子から射出される光の光軸を集光光学系の光軸に沿った方向に補正することができる。また、補正部は、楔状という簡素な形状なので、製造の簡素化が図れる。
【００１７】
上記第１態様において、前記反射素子を透過した前記第２の波長帯の光の光路上に配置され、複数の第１レンズを有する第１レンズアレイと、前記第１レンズアレイの光射出側に配置され、前記複数の第１レンズに対応する複数の第２レンズを有する第２レンズアレイと、をさらに備え、前記第１発光領域は、前記発光素子の発光領域の片側の領域に設けられ、前記第２発光領域は、前記発光領域の残りの領域に設けられ、前記複数の第１レンズ各々の光軸は、対応する前記第２レンズの光軸に対して偏心しており、前記第１レンズが前記補正部に相当する構成としてもよい。
この構成によれば、光源装置は、第１レンズアレイおよび第２レンズアレイを備えているので、照明対象の表面における面内光強度分布を略均一なものとすることができる。また、補正部は、第１レンズアレイから構成されるため、部品点数を増加することなく反射素子から射出される光の光軸の傾きを補正できる。
【００１８】
上記第１態様において、前記第１発光領域と前記第２発光領域とは、前記集光光学系の光軸に直交する平面における形状が相似形であってもよい。
この構成によれば、集光光学系に対する第２発光領域と蛍光体層との距離が異なっても、第２発光領域から射出された第２の励起光を効率良く蛍光体層に照射することが可能となる。よって、集光光学系に対する光源および蛍光体層の配置位置の自由度の向上を図りつつ、第２発光領域から射出される第２の励起光を効率良く蛍光体層に照射することが可能となる。
【００１９】
上記第１態様において、前記蛍光体層の面積は、前記発光素子の面積よりも小さい構成としてもよい。
この構成によれば、蛍光体層が発光素子よりも小さな面積の領域から第２の波長帯の光を発することとなるので、単位面積当たりの光束量を高めることができる。
【００２０】
上記第１態様において、前記第１発光領域および前記第２発光領域は、前記集光光学系の光軸に沿う方向から見て矩形状である構成としてもよい。
この構成によれば、照明対象は、光源装置から射出される光によって、射出される光に直交する面において矩形状に照射される。よって、光源装置は、被照射面が矩形状の照明対象を効率良く照明することができる。
【００２１】
上記第１態様において、前記第１発光領域と前記第２発光領域とは、前記集光光学系の光軸に直交する平面における面積が互いに等しい構成としてもよい。
この構成によれば、第２発光領域から射出される第２の励起光を有効に蛍光体層に照射することが可能となる。よって、さらに高輝度の第２の波長帯の光の射出が可能な光源装置が図れる。
【００２２】
上記第１態様において、前記光源は、前記励起光を射出する発光ダイオードまたは半導体レーザーを有する構成としてもよい。
この構成によれば、発光ダイオードは小型かつ発光効率が高く、また、半導体レーザーは、集光性が高い光を射出するので、励起光の利用効率を高めて蛍光体層を発光させることができる。
【００２３】
本発明の第２態様に従えば、上記第１態様に係る光源装置と、前記光源装置から射出された光を画像情報に応じて変調する光変調装置と、前記光変調装置にて変調された光を投写する投写レンズと、を備えるプロジェクターが提供される。
【００２４】
第２態様に係るプロジェクターの構成によれば、上述した光源装置を備えるので、小型化、および明るい画像の投写が可能なプロジェクターを提供することができる。
【００２５】
上記第２態様において、前記発光素子の中心から前記反射素子を見込む立体角をΩａ、前記発光素子の面積をＳａ、前記光変調装置の面積をＳｂ、前記投写レンズの飲み込み半角で規定される立体角をΩｂ、としたとき、ΩａがＳｂ×Ωｂ／Ｓａ以下の関係を満たす構成としてもよい。
この構成によれば、投写レンズに効率良く入射可能な有効な角度成分の光を取り出すことができる。よって、明るい画像を投射することができる。
【図面の簡単な説明】
【００２６】
【図１】第１実施形態のプロジェクターの概略構成を示す平面図。
【図２】第１実施形態の光源装置の概略構成を示す平面図。
【図３】（ａ）、（ｂ）は光源部の要部構成を示す図。
【図４】光源部の平面図。
【図５】第１変形例の光源部の構成を示す図。
【図６】第２変形例の光源部の構成を示す図。
【図７】第３変形例の光源部の構成を示す図。
【図８】第４変形例の光源部の構成を示す図。
【図９】第５変形例の光源部の構成を示す図。
【図１０】第２実施形態のプロジェクターにおける光学ユニットを示す模式図。
【図１１】第２実施形態の第１光源装置を説明するための模式図。
【図１２】第２実施形態における第２発光領域から射出された第２の励起光の進行経路を説明するための模式図。
【図１３】第２実施形態における補正部の機能を説明するための模式図。
【図１４】第３実施形態のプロジェクターにおける光学ユニットを示す模式図。
【図１５】第４実施形態のプロジェクターにおける光学ユニットを示す模式図。
【図１６】第６変形例の光源および蛍光体層を示す模式図。
【図１７】第７変形例の光源および蛍光体層を示す模式図。
【図１８】第８変形例の補正部を説明するための模式図。
【図１９】第９変形例のプロジェクターにおける光学ユニットを示す模式図。
【発明を実施するための形態】
【００２７】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００２８】
（プロジェクター）
先ず、図１に示す第１実施形態に係るプロジェクター１００の一例について説明する。
なお、図１は、このプロジェクター１００の概略構成を示す平面図である。
【００２９】
本実施形態に係るプロジェクターは、スクリーン（被投射面）上にカラー映像（画像）を表示する投射型画像表示装置である。
【００３０】
具体的に、プロジェクター１００は、光源装置１０１Ｒ，１０１Ｇ，１０１Ｂと、光変調装置１０２Ｒ，１０２Ｇ，１０２Ｂと、合成光学系１０３と、投写レンズ１０４と、を備える。
【００３１】
光源装置１０１Ｒ，１０１Ｇ，１０１Ｂは、それぞれが赤色光（Ｒ），緑色光（Ｇ），青色光（Ｂ）を射出する。
【００３２】
光源装置１０１Ｒは、本発明の光源装置から構成されている。また、光源装置１０１Ｇ，１０１Ｂは、後述のように光源として緑色（Ｇ），青色（Ｂ）の各色光を射出するＬＥＤを用いる。そして、各光源装置１０１Ｒ，１０１Ｇ，１０１Ｂは、照明光を各光変調装置１０２Ｒ，１０２Ｇ，１０２Ｂに向かって射出する。
【００３３】
光変調装置１０２Ｒ，１０２Ｇ，１０２Ｂは、各光源装置１０１Ｒ，１０１Ｇ，１０１Ｂからの光を画像信号に応じてそれぞれ変調し、各色に対応した画像光を形成する。
光変調装置１０２Ｒ，１０２Ｇ，１０２Ｂは、液晶ライトバルブ（液晶パネル）からなり、各々は、各色に対応した照明光を画像情報に応じて変調した画像光を形成する。なお、各光変調装置１０２Ｒ，１０２Ｇ，１０２Ｂの入射側及び射出側には、偏光板（不図示）が配置されており、特定の方向の直線偏光（例えば、Ｓ偏光）の光のみを通過させるようになっている。
【００３４】
合成光学系１０３は、各光変調装置１０２Ｒ，１０２Ｇ，１０２Ｂからの画像光を合成する。
合成光学系１０３は、クロスダイクロイックプリズムからなり、各光変調装置１０２Ｒ，１０２Ｇ，１０２Ｂからの画像光が入射する。合成光学系１０３は、各色に対応した画像光を合成し、この合成された画像光を投写レンズ１０４に向かって射出する。
【００３５】
投写レンズ１０４は、投写レンズ群からなり、合成光学系１０３により合成された画像光をスクリーンＳＣＲに向かって拡大投射する。これにより、スクリーンＳＣＲ上には、拡大されたカラー映像（画像）が表示される。
【００３６】
（光源装置）
続いて、本発明の光源装置の第１実施形態に係る光源装置１０１Ｒの具体的な構成について説明する。
図２は、光源装置１０１Ｒの概略構成を示す平面図である。
光源装置１０１Ｒは、図２に示すように、少なくとも光源部５０を備えている。また、本実施形態においては、光源装置１０１Ｒは、第１レンズアレイ５１、第２レンズアレイ５２、偏光変換素子５３、および重畳レンズ５４を更に備えている。
【００３７】
光源部５０は、赤色光を射出する。第１レンズアレイ５１は、複数の第１レンズを有し、光源部５０から射出された光を複数の部分光に分割する。第２レンズアレイ５２は、第１レンズアレイ５１の光射出側に配置され、第１レンズに対応する複数の第２レンズを有している。第２レンズアレイ５２は、重畳レンズ５４とともに、複数の部分光を光変調装置１０２Ｒ上で重畳させる。偏光変換素子５３は、第２レンズアレイ５２から射出された非偏光の光を直線偏光光に変換する。
【００３８】
ここで、光源装置１０１Ｒの光源部５０について、詳細に説明する。
図３（ａ）、（ｂ）は光源部５０の要部構成を示す図であり、図４は光源部５０の平面図である。
【００３９】
光源部５０は、図３（ａ）、（ｂ）に示すように、基板４０と、ＬＥＤ素子（発光素子）４１と、蛍光体層４２と、透明基材４３と、ダイクロイックミラー（反射素子）４４とを備える。基板４０はＬＥＤ素子４１を支持する。ＬＥＤ素子４１は第１の波長帯の励起光を射出する。本実施形態では、ＬＥＤ素子４１は、第１の波長帯として青色（Ｂ）を有する波長帯の光を発する発光ダイオードから構成される。なお、第１の波長帯の光としては青色光に限らず、紫色光や紫外光を有する波長帯の光を用いてもよい。また、ＬＥＤ素子の代わりに半導体レーザーを用いてもよい。
【００４０】
蛍光体層４２は、ＬＥＤ素子４１から射出された青色光に励起されることで第１の波長帯とは異なる第２の波長帯の光を発する。本実施形態では、蛍光体層４２が第２の波長帯として赤色（Ｒ）を有する波長帯の光を発する赤色蛍光体（例えば、ＣａＡｌＳｉＮ3−Ｓｉ2Ｎ2Ｏ：Ｅｕを含有する材料）で形成されている。
【００４１】
透明基材４３は、例えば、ガラスやプラスチック等の光透過性を有する基材であり、ＬＥＤ素子４１および蛍光体層４２を内部に収容するように基板４０上に配置されている。透明基材４３は、後述のダイクロイックミラー４４を支持するための支持部材である。透明基材４３は、図３（ａ），（ｂ）に示すように略椀状からなり、蛍光体層４２に対して凹面となる曲面を備えている。
【００４２】
ダイクロイックミラー４４と蛍光体層４２との間には透明基材４３および空気層が設けられている。すなわち、本実施形態において、光源部５０は、ダイクロイックミラー４４と蛍光体層４２との間に透明基材４３および空気層からなる導光部を備えている。
【００４３】
ダイクロイックミラー（反射素子）４４は、透明基材４３の表面側に形成されている。ダイクロイックミラー４４は、ＬＥＤ素子４１から射出される第１の波長帯の光（青色光Ｂ）Ｌ１を反射し、蛍光体層４２から射出される第２の波長帯の光（赤色光Ｒ）Ｌ２を透過する特性を備える。
【００４４】
本実施形態において、ダイクロイックミラー４４は、蛍光体層４２から射出される赤色光Ｌ２の主光線５０ｃと直交する上面部４４ａと、主光線５０ｃに対して傾いた傾斜部４４ｂと、を含む。ここで、赤色光Ｌ２の主光線５０ｃは、第１レンズアレイ５１、第２レンズアレイ５２、偏光変換素子５３、および重畳レンズ５４の光軸Ｃと平行である（図２、図３（ａ）参照）。
【００４５】
図３（ｂ）、図４に示すように、ＬＥＤ素子４１は、矩形状の発光領域４５を備えている。発光領域４５は、第１発光領域４５Ａと第２発光領域４５Ｂとを有する。第１発光領域４５Ａは、発光領域４５の中央の領域に矩形状に設けられている。第２発光領域４５Ｂは、発光領域４５の残りの領域である。第２発光領域４５Ｂは、第１発光領域４５Ａの廻りを囲むように設けられており、その外形が矩形状となっている。本明細書では、便宜上、第１発光領域４５Ａから射出される励起光を第１の励起光と呼び、第２発光領域４５Ｂから射出される励起光を第２の励起光と呼ぶ。
【００４６】
蛍光体層４２は、平面視において第１発光領域４５Ａと重なるように配置されている。換言すれば、発光領域４５のうち、蛍光体層４２が設けられている領域が第１発光領域４５Ａであり、蛍光体層４２が設けられていない領域が第２発光領域４５Ｂである。
【００４７】
本実施形態において、蛍光体層４２は、ＬＥＤ素子４１と熱的に接触している。これにより、蛍光発光時に蛍光体層４２に生じた熱がＬＥＤ素子４１を介して効率良く放出される。よって、蛍光体層４２は熱による劣化が抑制され、長期に亘って安定した光を射出することができる。
【００４８】
続いて、光源装置１０１Ｒから光を射出する動作について説明する。
ＬＥＤ素子４１における第１発光領域４５Ａから射出された青色光Ｌ１は、ＬＥＤ素子４１の上層に積層された蛍光体層４２の裏面に入射する。第１発光領域４５Ａから射出された青色光Ｌ１の大部分により励起された蛍光体層４２は赤色光Ｌ２を射出する。
本実施形態では、蛍光体層４２の面積がＬＥＤ素子４１の面積よりも小さくなっている。そのため、蛍光体層４２がＬＥＤ素子４１よりも面積の小さい領域から赤色光Ｌ２を発することとなるので、単位面積当たりの光束量を高めることができる。
【００４９】
一方、励起に寄与しないで蛍光体層４２を透過した青色光、およびＬＥＤ素子４１の第２発光領域４５Ｂから射出された青色光Ｌ１は、ダイクロイックミラー４４に到達する。ダイクロイックミラー４４は青色光Ｌ１を反射し、赤色光Ｌ２を透過する。
【００５０】
ここで、青色光Ｌ１は、ＬＥＤ素子４１の第２発光領域４５Ｂから放射状に広がる。また、ダイクロイックミラー４４と蛍光体層４２との間には導光部を備えているため、ダイクロイックミラー４４の上面部４４ａと蛍光体層４２とは互いに離間している。そのため、第２発光領域４５Ｂから放射状に拡がり、ダイクロイックミラー４４の上面部４４ａあるいは傾斜部４４ｂによって反射された青色光Ｌ１は、蛍光体層４２に良好に入射することができる。また、傾斜部４４ｂは、蛍光体層４２に対して凹面となる曲面状であることから、第２発光領域４５Ｂから主光線５０ｃに対して大きな角度を有して射出された青色光Ｌ１も、傾斜部４４ｂによって蛍光体層４２の表面に向けて効率良く反射される。よって、励起光である青色光Ｌ１は、蛍光体層４２の表裏両面を良好に励起することで赤色光Ｌ２を効率良く発生させることができる。
【００５１】
このような構成に基づき、光源装置１０１Ｒは、励起用の青色光Ｌ１の大部分が反射を繰り返す過程で蛍光体層４２に吸収されることで、ダイクロイックミラー４４を通して外側（第１レンズアレイ５１側）に赤色光Ｌ２を射出することができる。すなわち、光源装置１０１Ｒは光変調装置１０２Ｒに対して赤色光Ｌ２（直線偏光）を射出する。
【００５２】
光源装置１０１Ｇは光変調装置１０２Ｇに対して緑色光（直線偏光）を射出し、光源装置１０１Ｂは光変調装置１０２Ｂに対して青色光（直線偏光）を射出する。なお、光源装置１０１Ｇ，１０１Ｂは、光源部として緑色（Ｇ），青色（Ｂ）の各色に対応したＬＥＤを用いた従来の一般的な光源装置である。そのため、その詳細な説明については省略する。
【００５３】
以上のような構成を有する光源装置１０１Ｒによれば、ダイクロイックミラー４４の傾斜部４４ｂにより第２発光領域４５Ｂから射出された青色光Ｌ１の少なくとも一部を反射させて蛍光体層４２に入射させることができる。よって、複雑な構造を採用すること無く、簡便な構成により励起光である青色光Ｌ１を有効活用することができ、蛍光体層４２の表裏両面に青色光Ｌ１を効率良く照射できる。したがって、光源装置１０１Ｒは、赤色光Ｌ２を効率良く外部に射出することができる。
【００５４】
したがって、この光源装置１０１Ｒをプロジェクター１００に適用することによって、プロジェクター１００自体も更なる小型化を図りつつ、明るく画像品質に優れた表示を行うことが可能となる。
【００５５】
なお、本発明の一実施形態を例示して説明したが、本発明は上記実施形態のものに必ずしも限定されるものではなく、本発明の趣旨を逸脱しない範囲において種々の変更を加えることが可能である。
【００５６】
光源装置１０１Ｒの変形例について説明する。本変形例は、光源装置１０１Ｒにおける光源部の構成のみが相違しており、それ以外の構成は共通である。したがって、以下では、光源部の構成を主体に説明し、上記実施形態と共通の構成及び部材については同じ符号を付し、その詳細については省略する。
【００５７】
（第１変形例）
図５は第１変形例に係る光源部の構成を示す図である。
図５に示すように、本変形例に係る光源部１５０は、基板４０と、ＬＥＤ素子４１と、蛍光体層４２と、ミラー部材（反射素子）４９と、透明基材１４３とを備える。
【００５８】
ミラー部材４９は、第１のミラー部材４６と第２のミラー部材１４４とを含む。第１のミラー部材４６は、ＬＥＤ素子４１および蛍光体層４２を内部に収容するように基板４０上に配置されている。第１のミラー部材４６は、図３に示した透明基材４３と同様、略椀状からなり、蛍光体層４２に対して凹面となる曲面を備えている。
【００５９】
第１のミラー部材４６は、蛍光体層４２の上面側に対向するとともに蛍光体層４２から射出される赤色光Ｌ２の主光線５０ｃと直交する上面部に形成された開口４６ａと、主光線５０ｃに対して傾いた傾斜部４６ｂと、を含む。すなわち、第１のミラー部材４６は、平面視した状態で、傾斜部４６ｂが蛍光体層４２の周囲をリング状に囲んでいる。また、開口４６ａは、平面視した状態で例えば円形である。第１のミラー部材４６は、例えば、アルミニウム等の光反射性を有する部材である。
【００６０】
透明基材１４３は、例えば、ガラスやプラスチック等の光透過性を有する基材であって、第２のミラー部材１４４を支持するための支持部材である。第２のミラー部材は、ダイクロイックミラーから構成される。第２のミラー部材１４４は、透明基材１４３の内面側に形成される。透明基材１４３は、第２のミラー部材１４４を開口４６ａに対向させるようにミラー部材４９上に配置される。開口４６ａは第２のミラー部材１４４によって塞がれている。第２のミラー部材１４４は、主光線５０ｃと直交するように配置される。
【００６１】
ミラー部材４９と蛍光体層４２との間には空気層が介在している。すなわち、本実施形態において、光源部１５０は、ミラー部材４９と蛍光体層４２との間に空気層からなる導光部を備えている。
【００６２】
ところで、本実施形態では、蛍光体層４２の中心から開口４６ａを見込む立体角をΩａ、蛍光体層４２の面積をＳａ、赤色光Ｌ２が入射する光変調装置１０２Ｒの光入射面の面積をＳｂ、投写レンズ１０４（図１参照）の飲み込み半角θで決まる立体角をΩｂとしたとき、ΩａがＳｂ×Ωｂ／Ｓａ以下の関係を満たすように構成されている。
ここで、Ωｂは、Ωｂ＝２π（１−ｃｏｓθ）で規定される。
【００６３】
ΩａがＳｂ×Ωｂ／Ｓａを超える角度になった場合、赤色光Ｌ２は光変調装置１０２Ｒの有効エリア以外を照明してしまうか、或いは投写レンズ１０４への入射角度が大きく投写レンズ１０４を通過できないことになる。
【００６４】
これに対し、本変形例に係る光源部１５０によれば上記関係を満たすように構成されている。そのため、本変形例によれば、第２発光領域４５Ｂから射出された青色光Ｌ１あるいは蛍光体層４２から射出された赤色光Ｌ２のうち主光線５０ｃとなす角度の大きい成分を、第１のミラー部材４６の傾斜部４６ｂにより反射させて蛍光体層４２側に戻すことができる。蛍光体層４２に戻った光は蛍光体層４２内で散乱して角度が変化した状態で射出される。その結果、有効に利用できる角度成分の赤色光Ｌ２のみを開口４６ａを介して外部に取り出すことができる。すなわち、光源部１５０から射出した赤色光Ｌ２は、光変調装置１０２Ｒの有効エリアを効率良く照明するとともに、投写レンズ１０４内に効率良く入射するので、スクリーンＳＣＲ上に明るい画像を投射することができる。
【００６５】
（第２変形例）
例えば、上記実施形態では、透明基材４３（ダイクロイックミラー４４）が略椀状から構成される場合を例に挙げたが、本発明はこれに限定されない。例えば、図６（ａ）に示すように、平面形状が正方形を呈し、断面形状が台形を呈する透明基材４３（ダイクロイックミラー４４）を用いてもよい。あるいは、図６（ｂ）に示すように、平面形状が正方形を呈し、断面形状が図３に示したように略椀状を呈する透明基材４３（ダイクロイックミラー４４）を用いても良い。
【００６６】
あるいは、図６（ｃ）に示すように、平面形状および断面形状が矩形を呈する透明基材４３（ダイクロイックミラー４４）を用いても良い。この場合、透明基材４３の表面に形成されたダイクロイックミラー４４は、傾斜部４４ｂが主光線５０ｃと平行となっている。
【００６７】
（第３変形例）
また、上記実施形態では、第２発光領域４５Ｂが第１発光領域４５Ａを囲む場合を例に挙げたが、本発明はこれに限定されない。例えば、図７（ａ）に示す例では、第１発光領域４５Ａは、発光領域４５の片側の略半分の領域に設けられ、第２発光領域４５Ｂは、発光領域４５の残りの領域に設けられている。第１発光領域４５Ａおよび第２発光領域４５Ｂは、それぞれ矩形状であり、双方の面積が略等しい。第１発光領域４５Ａおよび第２発光領域４５Ｂは、光軸Ｃに対して軸対称となっている。
【００６８】
また、上記実施形態では、１つのＬＥＤ素子４１に対して蛍光体層４２が配置される場合を例に挙げたが、本発明はこれに限定されない。例えば、図７（ｂ）に示すように、基板４０上にＬＥＤ素子４１ＡとＬＥＤ素子４１Ｂとが配置されていてもよい。この構成では、蛍光体層４２が２つのＬＥＤ素子４１Ａ，４１Ｂ上を跨いた状態となるように、これらＬＥＤ素子４１Ａ，４１Ｂ上に積層して配置されている。
【００６９】
図７（ｂ）に示すように、ＬＥＤ素子４１Ａの第１発光領域４５Ａは、ＬＥＤ素子４１Ａの発光領域４５の中央の左側領域に設けられ、第２発光領域４５Ｂは発光領域４５の残りの領域に設けられる。同様に、ＬＥＤ素子４１Ｂの第１発光領域４５Ａは、ＬＥＤ素子４１Ｂの発光領域４５の中央の右側領域に設けられ、第２発光領域４５Ｂは発光領域４５の残りの領域に設けられる。
すなわち、図７（ｂ）に示す形態では、ＬＥＤ素子４１Ａ，４１Ｂにおいて、第１発光領域４５Ａおよび第２発光領域４５Ｂがそれぞれ独立して設けられている。ＬＥＤ素子４１Ａの第１発光領域４５ＡとＬＥＤ素子４１Ｂの第１発光領域４５Ａとは互いに分離しており、ＬＥＤ素子４１Ａの第２発光領域４５ＢとＬＥＤ素子４１Ｂの第２発光領域４５Ｂとは互いに分離している。
【００７０】
（第４変形例）
また、図７（ｂ）に示したように、２個のＬＥＤ素子４１を用いる場合において、図８に示すように、蛍光体層４２を一方のＬＥＤ素子４１Ａ上のみに配置してもよい。具体的に、光源部５０は、図８に示すように、２つのＬＥＤ素子４１Ａ，４１Ｂを有し、ＬＥＤ素子４１Ａ，４１Ｂは、基板４０の上に設けられている。基板４０は光軸Ｃと直交する基準面４０ａを有している。
【００７１】
ＬＥＤ素子４１Ａ，４１Ｂでは、発光領域の形状および面積おのおのが互いに同等に形成されている。蛍光体層４２は、ＬＥＤ素子４１Ａの発光領域に塗布されている。
そして、ＬＥＤ素子４１ＡとＬＥＤ素子４１Ｂとは、光軸Ｃを挟んで配置され、蛍光体層４２は、一方のＬＥＤ素子４１Ａ側に設けられることとなる。光源部５０では、ＬＥＤ素子４１Ａの発光面の基準面４０ａからの高さが、ＬＥＤ素子４１Ｂの発光面の基準面４０ａからの高さと等しくなっている。なお、ＬＥＤ素子４１の数は２つに限らず３つ以上で構成してもよい。
【００７２】
（第５変形例）
また、上記実施形態では、蛍光体層４２がＬＥＤ素子４１上に積層された場合を例に挙げたが、本発明はこれに限定されない。例えば、ＬＥＤ素子４１とは別体の透明部材に設けるように構成してもよい。図９は変形例に係る光源部５０および蛍光体層４２を示す模式図である。図９に示すように、蛍光体層４２は、ＬＥＤ素子４１の発光領域の面積の略半分の面積を有する板状の透明部材６０に積層（塗布）され、光軸Ｃの一方の側、つまりＬＥＤ素子４１の発光領域の片側に配置されていてもよい。
【００７３】
また、上記実施形態では、蛍光体層４２の面積がＬＥＤ素子４１の面積よりも小さい場合を例に挙げたが、本発明はこれに限定されない。例えば、蛍光体層４２およびＬＥＤ素子４１の面積が同じであり、これらが平面的にずれた位置に配置されていても良い。
【００７４】
また、上記実施形態では、蛍光体層４２として平面形状が矩形状のものを例示したが、本発明はこれに限定されない。例えば、蛍光体層４２として平面形状が円形、三角形、菱形、台形等のものを用いても良い。また、図５に示した構成においては、開口４６ａの平面形状が円形の場合を例示したが、開口４６ａの形状はこれに限定されない。例えば、開口４６ａの平面形状を円形としても良い。あるいは、蛍光体層４２の平面形状に対応させて、開口４６ａの形状を蛍光体層４２の形状と相似状に形成してもよい。これによれば、蛍光体層４２の形状と開口４６ａの形状が相似状となるので、蛍光体層４２の外周に放射状に拡がった赤色光Ｌ２を開口４６ａ内に効率良く取り込むことができる。
【００７５】
また、上記実施形態では、赤色光Ｌ２を生成する光源装置１０１Ｒとして本発明の光源装置を適用した場合を例に挙げたが、本発明はこれに限定されない。蛍光体層を変更することによって、緑色光を生成する光源装置１０１Ｇや青色光を生成する光源装置１０１Ｂに本発明の光源装置を適用してもよい。
【００７６】
また、上記実施形態では、３つの光変調装置１０２Ｒ，１０２Ｇ，１０２Ｂを備えるプロジェクター１００を例示したが、１つの光変調装置でカラー映像（画像）を表示するプロジェクターに適用することも可能である。さらに、光変調装置としては、上述した液晶パネルに限らず、例えばデジタルミラーデバイスなどを用いることもできる。
【００７７】
（第２実施形態）
以下、第２実施形態に係るプロジェクターについて、図面を参照して説明する。
本実施形態のプロジェクターは、光源装置から射出された光を画像情報に応じて変調し、変調した光をスクリーン等の投写面に拡大投写する。
【００７８】
図１０は、本実施形態のプロジェクター１における光学ユニット３を示す模式図である。
プロジェクター１は、図１０に示すように、光源装置２を有する光学ユニット３、および図示は省略するが、制御部、電源装置、冷却装置、およびこれらの装置を内部に収納する外装筐体を備えている。
【００７９】
制御部は、ＣＰＵ（Central Processing Unit）やＲＯＭ（Read Only Memory）、ＲＡＭ（Random Access Memory）等を備え、コンピューターとして機能する 
ものであり、プロジェクター１の動作の制御、例えば、画像の投写に関わる制御等を行う。
電源装置は、光源装置２や制御部等に電力を供給する。
冷却装置は、光源装置２や電源装置を冷却する。
外装筐体は、詳細な説明は省略するが、複数の部材で構成され、外気を取り込む吸気口、および内部の温まった空気を外部に排気する排気口等が設けられている。
【００８０】
（光学ユニットの構成）
光学ユニット３は、制御部による制御の下、光源装置２から射出された光を光学的に処理して投写する。
光学ユニット３は、図１０に示すように、光源装置２に加え、インテグレーター照明光学系３２、ダイクロイックミラー３３１，３３２、反射ミラー３４Ｂ，３４Ｇ、フィールドレンズ３５Ｂ，３５Ｇ，３５Ｒ、光変調装置としての液晶ライトバルブ３６１、色合成光学装置としてのクロスダイクロイックプリズム３６２、および投写レンズ３７を備える。
【００８１】
液晶ライトバルブ３６１は、赤色光（以下「Ｒ光」という）を画像情報に応じて変調する液晶ライトバルブ３６１Ｒ、緑色光（以下「Ｇ光」という）を画像情報に応じて変調する液晶ライトバルブ３６１Ｇ、青色光（以下「Ｂ光」という）を画像情報に応じて変調する液晶ライトバルブ３６１Ｂを備える。
【００８２】
各液晶ライトバルブ３６１は、透過型の液晶パネル、および液晶パネルの光入射側に配置された入射側偏光板と、液晶パネルの光射出側に配置された射出側偏光板を有している。
液晶ライトバルブ３６１は、図示しない複数の微小画素がマトリックス状に設けられた矩形状の画像形成領域を有する。各画素が表示画像信号に応じた光透過率に設定され、画像形成領域内に表示画像を形成する。そして、各色光は、液晶ライトバルブ３６１にて変調された後、クロスダイクロイックプリズム３６２に射出される。
【００８３】
クロスダイクロイックプリズム３６２は、４つの直角プリズムを貼り合わせた平面視略正方形状をなし、直角プリズム同士を貼り合わせた界面には、２つの誘電体多層膜が形成されている。クロスダイクロイックプリズム３６２は、誘電体多層膜が液晶ライトバルブ３６１Ｒ，３５１Ｂにて変調された色光を反射し、液晶ライトバルブ３６１Ｇにて変調された色光を透過して、各色光を合成する。
【００８４】
投写レンズ３７は、複数のレンズ（図示省略）を備え、クロスダイクロイックプリズム３６２にて合成された光をスクリーン上に拡大投写する。
【００８５】
光源装置２は、第１光源装置４および第２光源装置５を備える。
第１光源装置４は、請求項１に記載の光源装置に相当する。第１光源装置４は、発光ダイオードを有する光源１４１、光源（発光素子）１４１の発光領域の一部に塗布された蛍光体層１４２、集光光学系（導光部）２４３、波長選択素子（反射素子）１４４および補正部１４５を備える。ただし、補正部１４５は必須ではない。光源１４１から射出された励起光により、蛍光体層１４２は、Ｒ光とＧ光とを含むＹ光を射出する。
第２光源装置５は、Ｂ光を射出する発光ダイオードを有する光源１５１、および平行化レンズ１５２を備え、光源１５１から射出されたＢ光を平行化レンズ１５２にて略平行化して射出する。
なお、第１光源装置４の構成については、後で詳細に説明する。
【００８６】
インテグレーター照明光学系３２は、第１光源装置４に対応する第１インテグレーター照明光学系３２１、および第２光源装置５に対応する第２インテグレーター照明光学系３２２を備えている。
第１インテグレーター照明光学系３２１は、第１レンズアレイ３２１１、第２レンズアレイ３２１２、偏光変換素子３２１３、および重畳レンズ３２１４を備えている。
第１レンズアレイ３２１１は、複数の第１レンズを有し、第１光源装置４から射出された光を複数の部分光に分割する。第２レンズアレイ３２１２は、第１レンズアレイ３２１１の光射出側に配置され、第１レンズに対向する複数の第２レンズを有している。第２レンズアレイ３２１２は、重畳レンズ３２１４とともに、部分光を液晶ライトバルブ３６１Ｇ，３６１Ｒ上で重畳させる。
偏光変換素子３２１３は、第２レンズアレイ３２１２から射出された非偏光の光を直線偏光光に変換する。
【００８７】
第２インテグレーター照明光学系３２２は、第１インテグレーター照明光学系３２１と同様に、第１レンズアレイ３２２１、第２レンズアレイ３２２２、偏光変換素子３２２３、および重畳レンズ３２２４を備え、第２光源装置５から射出されたＢ光を複数の部分光に分割し、後述する液晶ライトバルブ３６１Ｂの表面に重畳させる。
第２インテグレーター照明光学系３２２から射出されたＢ光は、反射ミラー３４Ｂにて反射し、フィールドレンズ３５Ｂを介して液晶ライトバルブ３６１Ｂに入射する。
【００８８】
ダイクロイックミラー３３１は、第１インテグレーター照明光学系３２１から射出されたＹ光のうち、画像形成に利用するＧ光を反射し、残りの光を透過する。
ダイクロイックミラー３３１で反射したＧ光は、反射ミラー３４Ｇにて反射し、フィールドレンズ３５Ｇを介して液晶ライトバルブ３６１Ｇに入射する。
ダイクロイックミラー３３２は、ダイクロイックミラー３３１を透過した光のうち画像形成に利用するＲ光を反射し、不要な光を透過する。そして、ダイクロイックミラー３３２にて反射したＲ光は、フィールドレンズ３５Ｒを介して液晶ライトバルブ３６１Ｒに入射する。
【００８９】
（第１光源装置の構成）
ここで、第１光源装置４について、詳細に説明する。
図１１は、第１光源装置４を説明するための模式図であり、（ａ）は、第１光源装置４の構成を示す図、（ｂ）は、第１光源装置４における光源１４１を発光側から見た平面図である。
【００９０】
図１１（ａ）に示すように、集光光学系２４３は、光源１４１と波長選択素子２４４との間の光路中に設けられている。
光源１４１は、第１の波長帯の励起光を射出する。本実施形態では、第１の波長帯として青色光を有する波長帯の光を発する発光ダイオードが用いられている。なお、第１の波長帯の励起光としては、青色光に限らず、紫色光や紫外光を有する波長帯の光を用いてもよい。
【００９１】
光源１４１は、図１１（ｂ）に示すように、矩形状の発光領域１４１Ｅを備えている。また、発光領域１４１Ｅは、第１発光領域４１１と第２発光領域４１２とを有する。第１発光領域４１１は、発光領域１４１Ｅの片側の略半分の領域に設けられ、第２発光領域４１２は、発光領域１４１Ｅの残りの領域に設けられている。なお、本明細書では、便宜上、第１発光領域４１１から射出される励起光を第１の励起光と呼び、第２発光領域４１２から射出される励起光を第２の励起光と呼ぶ。
光源１４１と集光光学系２４３とは、集光光学系２４３の光軸２４３Ｃが発光領域１４１Ｅの略中心に位置するように配置される。また、蛍光体層１４２は、平面視において第１発光領域４１１と重なるように設けられている。具体的に、蛍光体層１４２は、図１１（ｂ）において、光軸２４３Ｃを通る上下方向に延出する直線を境界にして発光領域の片側に設けられている。言い換えれば、発光領域１４１Ｅのうち、蛍光体層１４２が設けられている領域が第１発光領域４１１であり、蛍光体層１４２が設けられていない領域が第２発光領域４１２である。
【００９２】
第１発光領域４１１および第２発光領域４１２は、それぞれ矩形状であり、双方の面積が略等しい。第１発光領域４１１および第２発光領域４１２は、光軸２４３Ｃに対して軸対称であることが好ましい。この理由については、図１２を用いて後で説明する。
なお、第１レンズアレイ３２１１および第２レンズアレイ３２１２が備える各レンズの形状は、液晶ライトバルブ３６１の画像形成領域の形状と相似である。 
そして、矩形状の第１発光領域４１１（蛍光体層１４２）は、各レンズの半分の形状に対応するように長手方向（短手方向）の向きが設定されている。
【００９３】
蛍光体層１４２は、例えば、セリウム付活ＹＡＧ（Yttrium Aluminum Garnet）蛍光体（ＹＡＧ：Ｃｅ３＋）を含有する材料で形成され、光源１４１の光射出側に塗布されている。
蛍光体層１４２は、光源１４１からの励起光によりＲ光とＧ光とを含むＹ光を発する。Ｙ光は、第１の波長帯とは異なる第２の波長帯の光に相当する。
【００９４】
集光光学系２４３は、図１１（ａ）に示すように、レンズ４３１，４３２を有して構成され、第１発光領域４１１に設けられた蛍光体層１４２から発せられた光、および第２発光領域４１２から射出された第２の励起光を略平行化して透過させる。
【００９５】
波長選択素子２４４は、第２の波長帯の光を透過し、第１の波長帯の光を反射する。つまり、波長選択素子２４４は、集光光学系２４３の光射出側に配置され、蛍光体層１４２から発せられたＹ光を透過し、第２発光領域４１２から射出された第２の励起光１４１ａを反射する。
波長選択素子２４４を透過したＹ光は、補正部１４５に入射する。そして、第２発光領域４１２から射出され、波長選択素子２４４で反射した第２の励起光１４１ｂのうち少なくとも一部は、集光光学系２４３を介して蛍光体層１４２に入射する。すなわち、集光光学系２４３は、光源１４１の第２発光領域４１２から射出され、波長選択素子２４４にて反射した第２の励起光１４１ｂのうち少なくとも一部が蛍光体層１４２に入射するように、第２の励起光を導く機能を有している。
【００９６】
図１２は、第２発光領域４１２から射出された第２の励起光１４１ａの進行経路を説明するための模式図である。
図１２に示すように、第２発光領域４１２から射出された第２の励起光１４１ａは、集光光学系２４３に向かって広がるように進行し、レンズ４３１，４３２によって略平行化されて波長選択素子２４４に入射する。そして、第２の励起光１４１ａは、波長選択素子２４４にて反射する。波長選択素子２４４にて反射した第２の励起光１４１ｂのうち少なくとも一部は、レンズ４３２，４３１によって進行方向が変更され、光軸２４３Ｃに対して第２発光領域４１２に対称となる領域に入射する。従って、蛍光体層１４２が設けられている第１発光領域４１１は、光軸２４３Ｃに対して第２発光領域４１２と軸対称であることが好ましい。
【００９７】
このように、光源１４１の第２発光領域４１２から射出された第２の励起光は、光軸２４３Ｃに対して対称となる位置に設けられた蛍光体層１４２に入射する。そして、蛍光体層１４２は、第２の励起光が入射することにより、Ｙ光を発する。
すなわち、蛍光体層１４２は、第１発光領域４１１から射出され、光源１４１側から入射する第１の励起光、および第２発光領域４１２から射出され、集光光学系２４３、波長選択素子２４４を介して光源１４１とは反対側から入射する第２の励起光によりＹ光を発する。そして、Ｙ光は波長選択素子２４４を透過する。
【００９８】
ところで、蛍光体層１４２は、光軸２４３Ｃに対して片側に設けられているため、波長選択素子２４４から射出される光は、光軸２４３Ｃに対して傾いて進行する。
補正部１４５は、波長選択素子２４４から射出されるこの光の進行方向（光軸）の傾きを補正する機能を有している。
図１３は、補正部１４５の機能を説明するための模式図であり、（ａ）は、補正部１４５が配置されていない場合の図、（ｂ）は、補正部１４５が配置された場合の図である。
【００９９】
図１３（ａ）に示すように、補正部１４５が配置されていない場合、蛍光体層１４２から射出され、集光光学系２４３および波長選択素子２４４を透過した光は、光軸２４３Ｃに対して蛍光体層１４２が設けられている側とは反対側に向かって進行する。
【０１００】
補正部１４５は、図１３（ｂ）に示すように、蛍光体層１４２に対向する側が第２発光領域４１２に対向する側より厚みが厚い楔状の形状を有し、波長選択素子２４４の光射出側に配置される。
そして、補正部１４５が配置された場合、蛍光体層１４２から射出され、集光光学系２４３および波長選択素子２４４を透過した光は、補正部１４５によって進行方向が補正され、光軸２４３Ｃに略沿うように進行する。
【０１０１】
このように、蛍光体層１４２は、光源１４１の発光領域１４１Ｅの略半分の領域であって平面視にて光軸２４３Ｃの片側に設けられ、蛍光体層１４２には、両側（光源１４１側、および光源１４１とは反対側）から励起光が照射される。そして、第１光源装置４は、蛍光体層１４２から発せられ、波長選択素子２４４を透過した後光軸２４３Ｃに対して傾いて進行する光の進行方向を、補正部１４５によって修正して射出する。
第１光源装置４から射出された光は、前述したように、ダイクロイックミラー３３１，３３２によってＧ光とＲ光に分離されて、Ｇ光とＲ光はそれぞれ液晶ライトバルブ３６１Ｇ，３６１Ｒによって変調される。そして、変調されたＧ光とＲ光は、第２光源装置５から射出され、液晶ライトバルブ３６１Ｂによって変調されたＢ光と合成されて投写レンズ３７により投写される。
【０１０２】
以上説明したように、本実施形態によれば、以下の効果を得ることができる。
（１）第１光源装置４を複雑な構造にすることなく、光源１４１から射出された励起光を蛍光体層１４２の両側（光源１４１側、および光源１４１とは反対側）に照射できる。また、部品の増加を抑制することができる。
また、光源１４１の発光領域の全ての領域（第１発光領域４１１および第２発光領域４１２）に重なるように蛍光体層１４２が設けられる構成に比べ、小さな面積から光を発することができるので、第１光源装置４の単位面積当たりの光束量を高めることができる。
したがって、簡素な構成や小型化を図ると共に、励起光を効率良く利用して高輝度のＹ光の射出が可能な第１光源装置４の提供が可能となる。また、この第１光源装置４を搭載するプロジェクター１は、小型であり、かつ明るい画像の投写が可能となる。
【０１０３】
（２）蛍光体層１４２は、光源１４１の発光領域の片側に設けられているので、第２発光領域４１２から射出される第２の励起光を効率良く蛍光体層１４２に導く構成、つまり、集光光学系２４３の構成を簡素化することが可能となる。また、蛍光体層１４２が発光領域の片側に重なるという簡素な構造なので、蛍光体層１４２を所望の位置に容易に設けることや、第１光源装置４製造のさらなる簡素化が可能となる。
【０１０４】
（３）蛍光体層１４２は、光軸２４３Ｃに対し、第２発光領域４１２と対称の第１発光領域４１１に設けられているので、第２発光領域４１２から射出される第２の励起光を無駄なく、光源とは反対側から蛍光体層１４２に照射することが可能となる。よって、さらに高輝度のＹ光の射出が可能な第１光源装置４が図れる。
【０１０５】
（４）第１光源装置４は、補正部１４５を備えているので、射出される光の光軸の光軸２４３Ｃに対する傾きを補正することができる。これによって、第１光源装置４は、光の損失を抑制し、照明対象となる液晶ライトバルブ３６１Ｒ，３６１Ｇに効率良くＲ光、Ｇ光を照射することが可能となる。
また、補正部１４５は、楔状という簡素な形状なので、製造の簡素化が図れる。
【０１０６】
（５）第１発光領域４１１および第２発光領域４１２は、光軸２４３Ｃに沿う方向から見て矩形状なので、照明対象が矩形状の液晶ライトバルブ３６１の画像形成領域を効率良く照明することができる。
【０１０７】
（６）第１光源装置４は、１つの光源１４１でＲ光およびＧ光を含むＹ光を射出するので、Ｒ光、Ｇ光に対応して個別に光源１４１を設ける構成に比べ、第１光源装置４の小型化、ひいてはプロジェクター１の小型化が可能となる。
【０１０８】
（７）光源１４１は、小型かつ発光効率が高い発光ダイオードを備えこの発光ダイオードが射出する光を励起光として用いているので、第１光源装置４の更なる小型化や、励起光の利用効率を高めて蛍光体層１４２を発光させることができる。
【０１０９】
（第３実施形態）
以下、第３実施形態に係るプロジェクターについて、図面を参照して説明する。以下の説明では、第２実施形態のプロジェクター１と同様の構成および同様の部材には、同一符号を付し、その詳細な説明は省略または簡略化する。
図１４は、本実施形態のプロジェクターにおける光学ユニット１３を示す模式図である。
本実施形態のプロジェクターは、図１４に示すように、第２実施形態のプロジェクター１における第１光源装置４と構成の異なる第１光源装置６を備えている。
【０１１０】
第２実施形態の第１光源装置４が１つの光源１４１を備えて構成されていることに対し、本実施形態の第１光源装置６は、Ｒ光用の光源１４１、およびＧ光用の光源１４１を備えている。光源１４１は第１の波長帯の光である励起光を射出する。
本実施形態の第１光源装置６は、Ｒ光用の光源１４１を有するＲ系光源部６１Ｒ、Ｇ光用の光源１４１を有するＧ系光源部６１Ｇ、ダイクロイックミラー６３、および補正部６４を備えている。
【０１１１】
Ｒ系光源部６１Ｒは、光源１４１に加え、蛍光体層６２Ｒ、集光光学系２４３、および波長選択素子２４４を備えている。
蛍光体層６２Ｒは、光源１４１からの励起光によりＲ光を発する。Ｒ光は、第２の波長帯の光に相当する。
蛍光体層６２Ｒは、図１４に示すように、第２実施形態における蛍光体層１４２と同様に、光源１４１の発光領域のうちの略半分に設けられている。具体的に、蛍光体層６２Ｒは、赤色蛍光体（例えば、ＣａＡｌＳｉＮ3−Ｓｉ2Ｎ2Ｏ：Ｅｕを含有する材料）で形成されている。そして、蛍光体層６２Ｒは、Ｒ系光源部６１Ｒにおける集光光学系２４３の光軸２４３Ｃｒに対し、光源１４１の発光領域の片側に塗布されている。
光源１４１から射出された励起光は、第２実施形態で説明したと同様に、集光光学系２４３および波長選択素子２４４によって蛍光体層６２Ｒの両側に照射されてＲ光に変換され、波長選択素子２４４からダイクロイックミラー６３に射出される。
【０１１２】
Ｇ系光源部６１Ｇは、光源１４１に加え、蛍光体層６２Ｇ、集光光学系２４３、および波長選択素子２４４を備えている。
蛍光体層６２Ｇは、光源１４１からの励起光によりＧ光を発する。Ｇ光は、第２の波長帯の光に相当する。
蛍光体層６２Ｇは、図１４に示すように、Ｒ系光源部６１Ｒにおける蛍光体層６２Ｒと同様に、光源１４１の発光領域のうちの略半分に設けられている。具体的に、蛍光体層６２Ｇは、緑色蛍光体（例えば、Ｂａ3Ｓｉ6Ｏ12Ｎ2：Ｅｕを含有する材料）で形成されている。そして、蛍光体層６２Ｇは、Ｇ系光源部６１Ｇにおける集光光学系２４３の光軸２４３Ｃｇに対し、光源１４１の発光領域の片側に塗布されている。
光源１４１から射出された励起光は、第２実施形態で説明したと同様に、集光光学系２４３および波長選択素子２４４によって蛍光体層６２Ｇの両側に照射されてＧ光に変換され、波長選択素子２４４からダイクロイックミラー６３に射出される。
【０１１３】
なお、Ｒ系光源部６１ＲとＧ系光源部６１Ｇとは、図１４に示すように、光軸２４３Ｃｒと光軸２４３Ｃｇとが略直交するように配置される。そして、図１４の図面視において、蛍光体層６２Ｒは、光軸２４３Ｃｒの上側に設けられ、蛍光体層６２Ｇは、光軸２４３Ｃｇの右側に設けられる。
【０１１４】
ダイクロイックミラー６３は、光軸２４３Ｃｒと光軸２４３Ｃｇとが交差する位置に設けられている。ダイクロイックミラー６３は、Ｒ光を第１インテグレーター照明光学系３２１に向けて反射し、Ｇ光を第１インテグレーター照明光学系３２１に向けて透過するように、光軸２４３Ｃｒ，４３Ｃｇに対して略４５°の角度を有するように配置される。
そして、ダイクロイックミラー６３は、Ｒ系光源部６１Ｒから射出されたＲ光と、Ｇ系光源部６１Ｇから射出されたＧ光を合成して、補正部６４に射出する。
【０１１５】
補正部６４は、図１４に示すように、第２実施形態の補正部１４５と同様に、断面が楔状に形成されており、光軸２４３Ｃｇ上におけるダイクロイックミラー６３の光射出側に配置される。また、補正部６４は、厚みが厚い側が蛍光体層６２Ｇに対向するように配置される。なお、補正部６４は、蛍光体層６２Ｒに対しては、Ｒ光を反射するダイクロイックミラー６３を介して厚みが厚い側が蛍光体層６２Ｒの側となるように配置される。
そして、第２実施形態で説明したように、ダイクロイックミラー６３から射出されたＲ光の進行方向とＧ光の進行方向は、補正部６４によって修正され、第１インテグレーター照明光学系３２１が備える第１レンズアレイ３２１１に対して略垂直に入射する。
第１インテグレーター照明光学系３２１から射出された光は、第２実施形態で説明したと同様に、Ｇ光、Ｒ光に分離され、液晶ライトバルブ３６１Ｇ，３６１Ｒにそれぞれ入射する。
【０１１６】
以上説明したように、本実施形態のプロジェクターによれば、第２実施形態の効果に加え、以下の効果を得ることができる。
第１光源装置６は、Ｒ光を射出するＲ系光源部６１ＲとＧ光を射出するＧ系光源部６１Ｇとを備えているため、Ｒ光の輝度およびＧ光の輝度を独立に制御することができる。そのため、画像のホワイトバランスを容易に調整することができる。
【０１１７】
（第４実施形態）
以下、第４実施形態に係るプロジェクターについて、図面を参照して説明する。以下の説明では、第２実施形態、第３実施形態のプロジェクターと同様の構成および同様の部材には、同一符号を付し、その詳細な説明は省略または簡略化する。
【０１１８】
図１５は、本実施形態のプロジェクターにおける光学ユニット２３を示す模式図である。
第２実施形態のプロジェクターはＹ光を射出する第１光源装置４を備え、第３実施形態のプロジェクターは、Ｒ光およびＧ光を射出する第１光源装置６を備えているが、本実施形態のプロジェクターは、図１５に示すように、Ｒ光、Ｇ光、およびＢ光を有する光を射出する光源装置７を備えている。
また、本実施形態のプロジェクターは、第２実施形態、第３実施形態の光学系とは異なるインテグレーター照明光学系８１、色分離光学系８２、およびリレー光学系８３を備えている。
【０１１９】
光源装置７は、第３実施形態におけるＲ系光源部６１Ｒ、Ｇ系光源部６１Ｇと、第２実施形態における第２光源装置５と、補正部７１Ｒ，７１Ｇと、クロスダイクロイックプリズム７２とを備えている。
補正部７１Ｒは、Ｒ系光源部６１Ｒの光射出側に配置され、Ｒ系光源部６１Ｒから射出されるＲ光の光軸の傾きを補正し、クロスダイクロイックプリズム７２に向けて射出する。補正部７１Ｇは、Ｇ系光源部６１Ｇの光射出側に配置され、Ｇ系光源部６１Ｇから射出されるＧ光の光軸の傾きを補正し、クロスダイクロイックプリズム７２に向けて射出する。
第２光源装置５は、クロスダイクロイックプリズム７２を介してＲ系光源部６１Ｒに対向して配置され、Ｂ光をクロスダイクロイックプリズム７２に向けて射出する。
【０１２０】
クロスダイクロイックプリズム７２は、４つの直角プリズムを貼り合わせた平面視略正方形状をなし、直角プリズム同士を貼り合わせた界面には、２つの誘電体多層膜が形成されている。クロスダイクロイックプリズム７２は、誘電体多層膜がＲ系光源部６１Ｒから射出されたＲ光、および第２光源装置５から射出されたＢ光を反射し、Ｇ系光源部６１Ｇから射出されたＧ光を透過して、Ｒ光とＧ光とＢ光とを合成し、合成した光をインテグレーター照明光学系８１に向けて射出する。
【０１２１】
インテグレーター照明光学系８１は、第２実施形態における第１インテグレーター照明光学系３２１を備えている。そして、インテグレーター照明光学系８１は、各液晶ライトバルブ３６１の表面における照明光の面内光強度分布が均一となるように、入射する光を変換する。
【０１２２】
色分離光学系８２は、ダイクロイックミラー８２１，８２２、および反射ミラー８２３を備え、インテグレーター照明光学系８１から射出された光をＢ光、Ｒ光、Ｇ光の３つの色光に分離する。具体的に、ダイクロイックミラー８２１は、インテグレーター照明光学系８１から射出された光のうち、Ｂ光を反射し、Ｇ光およびＲ光を透過する。ダイクロイックミラー８２２は、ダイクロイックミラー８２１を透過したＧ光およびＲ光のうち、Ｇ光を反射し、Ｒ光を透過する。
ダイクロイックミラー８２１で反射したＢ光は、反射ミラー８２３で反射し、フィールドレンズ３５Ｂを介して液晶ライトバルブ３６１Ｂに入射する。ダイクロイックミラー８２２で反射したＧ光は、フィールドレンズ３５Ｇを介して液晶ライトバルブ３６１Ｇに入射する。
【０１２３】
リレー光学系８３は、入射側レンズ８３１、リレーレンズ８３２、および反射ミラー８３３，８３４を備え、色分離光学系８２で分離されたＲ光をフィールドレンズ３５Ｒまで導く。そして、フィールドレンズ３５Ｒに入射したＲ光は、液晶ライトバルブ３６１Ｒに入射する。なお、色分離光学系８２およびリレー光学系８３は、リレー光学系８３がＲ光を導く構成としているが、これに限らず、例えば、Ｂ光を導く構成としてもよい。
液晶ライトバルブ３６１Ｂ，３６１Ｇ，３６１Ｒに入射した各色光は、第２実施形態で説明したと同様に、画像情報に応じて変調された後、クロスダイクロイックプリズム３６２によって合成され、投写レンズ３７から投写される。
【０１２４】
以上説明したように、本実施形態のプロジェクターによれば、第２実施形態、および第３実施形態の効果に加え、以下の効果を得ることができる。
第２実施形態、および第３実施形態においては、第１インテグレーター照明光学系３２１と第２インテグレーター照明光学系３２２とが必要であったが、本実施形態においては第２インテグレーター照明光学系３２２が不要であるため、光学ユニット２３の小型化、ひいてはプロジェクターの小型化が可能となる。
【０１２５】
なお、前記第２乃至４実施形態は、以下のように変更してもよい。
（第６変形例）
前記実施形態では、蛍光体層１４２は、一体的に構成された光源１４１に塗布されているが、例えば図１６に示したように、光源を別体の２個の発光素子から構成し、２個の発光素子のうち、一方の発光素子に蛍光体層を塗布するように構成してもよい。
【０１２６】
図１６は、第６変形例の光源１０、および蛍光体層２０を示す模式図であり、（ａ）、（ｂ）は、複数の発光素子の配置する位置を変えた場合の図である。
光源１０は、図１６に示すように、２つの発光素子１０ａ，１０ｂを有し、発光素子１０ａ，１０ｂは、基板２００の上に設けられている。基板２００は、光軸２４３Ｃと直交する基準面２００ａを有している。
【０１２７】
発光素子１０ａ，１０ｂは、発光領域の形状および面積おのおのが互いに同等に形成されている。蛍光体層２０は、発光素子１０ａの発光領域に塗布されている。
そして、発光素子１０ａと発光素子１０ｂとは、光軸２４３Ｃを挟んで配置され、蛍光体層２０は、光源１０の片側に設けられることとなる。
【０１２８】
図１６（ａ）に示した光源１０では、発光素子１０ａの発光面１０ａｓの基準面２００ａからの高さが、発光素子１０ｂの発光面１０ｂｓの基準面２００ａからの高さと等しい。一方、図１６（ｂ）に示した光源１０では、発光素子１０ｂの発光面１０ｂｓの基準面２００ａからの高さが、蛍光体層２０の光入射面２０ｓの基準面２００ａからの高さと等しい。
図１６（ｂ）に示すように、発光素子１０ａ，１０ｂを配置することで、発光素子１０ｂから射出され、集光光学系２４３および波長選択素子２４４を介して蛍光体層２０に導かれる第２の励起光をより効率的に蛍光体層２０に照射することが可能となる。また、光源１０は、２つに限らず３つ以上の発光素子で構成してもよい。
【０１２９】
（第７変形例）
前記実施形態では、蛍光体層１４２は、光源１４１に塗布されているが、光源１４１とは別体の透明部材に設けるように構成してもよい。
図１７は、変形例２の光源３０、および蛍光体層１４０を示す模式図である。
蛍光体層１４０は、光源（発光素子）３０の発光領域の面積の略半分の面積を有する板状の透明部材２５０に塗布され、光軸２４３Ｃの一方の側、つまり光源３０の発光領域の片側に配置される。
【０１３０】
（第８変形例）
前記実施形態では、補正部として、断面が楔状に形成された補正部１４５，６４，７１Ｒ，７１Ｇを用いているが、この構成に限らず、例えば、第１レンズアレイ３２１１に補正部の機能を盛り込むように構成してもよい。
図１８は、第８変形例の補正部を説明するための模式図であり、（ａ）は、補正部の機能を盛り込んでいない第１レンズアレイ３２１１を示す図、（ｂ）は、補正部の機能を盛り込んだ第１レンズアレイ９０を示す図である。
第１レンズアレイ３２１１は、複数の第１レンズ３２１１ａを有し、第１レンズアレイ９０は、複数の第１レンズ９０ａを有している。なお、図１８は、第１レンズ３２１１ａ，９０ａを明瞭に説明するため、それぞれ１つを記載した図である。
【０１３１】
第１レンズアレイ９０の第１レンズ９０ａの光軸は、図１８の図面視において、第１レンズアレイ３２１１の第１レンズ３２１１ａの光軸より、下方、つまり光軸２４３Ｃに対し、蛍光体層１４２が形成されている側に偏心している。また、図示は省略するが、第１レンズ９０ａの光軸は、第１レンズ９０ａが対応している第２レンズアレイ３２１２の第２レンズの光軸に対しても偏心している。
【０１３２】
図１８（ａ）に示すように、補正部の機能が盛り込まれていない第１レンズアレイ３２１１を用いた場合、蛍光体層１４２から射出され、集光光学系２４３、波長選択素子２４４および第１レンズアレイ３２１１を透過した光は、光軸２４３Ｃに対して蛍光体層１４２が設けられている側とは反対側に向かって進行する。
【０１３３】
一方、図１８（ｂ）に示すように、補正部の機能が盛り込まれている第１レンズアレイ９０を用いた場合、蛍光体層１４２から射出され、集光光学系２４３、波長選択素子２４４および第１レンズアレイ９０を透過した光は、その光軸が修正される。
このように、第１レンズアレイ９０の第１レンズ９０ａは、補正部の機能を有し、補正部が第１レンズアレイ９０に設けられることで、部品点数を増加することなく波長選択素子２４４から射出される光の光軸の傾きを補正できる。
【０１３４】
（第９変形例）
前記実施形態のプロジェクターは、光変調装置として液晶パネルを用いているが、光変調装置としてマイクロミラー型の光変調装置、例えばデジタルミラーデバイスを利用したものであってもよい。
図１９は、第９変形例のプロジェクターにおける光学ユニット３００を示す模式図である。
光学ユニット３００は、第４実施形態の光源装置７、重畳レンズ２０１、ロッドインテグレーター２０２、集光光学系２０３、反射ミラー２０４、光変調装置としてのマイクロミラーデバイス２０５および投写レンズ２０６を備えている。
光源装置７は、画像情報に応じて時分割でＲ光、Ｇ光、Ｂ光を射出する。
光源装置７から射出された光は、重畳レンズ２０１によってロッドインテグレーター２０２の入射面に導光され、ロッドインテグレーター２０２の内面で多重反射することによって均一化されて射出面から射出する。
ロッドインテグレーター２０２から射出された光は、集光光学系２０３によって略平行化され、反射ミラー２０４にて反射し、マイクロミラーデバイス２０５に射出される。
マイクロミラーデバイス２０５に入射した光は、画像情報に応じて各画素に対応するマイクロミラーで反射することにより、画像を表す光に変調されて投写レンズ２０６から投写される。
このように、光源１４１の発光領域の一部に蛍光体層６２Ｒ，６２Ｇが設けられた光源装置７は、マイクロミラー型の光変調装置を備えるプロジェクターの光源装置にも用いることができ、前記実施形態で説明したと同様の効果を奏する。
また、第９変形例においては、第４実施形態の光源装置７を用いて説明したが、第２実施形態における光源装置２や第３実施形態における光源装置（第１光源装置６および第２光源装置５）をマイクロミラー型の光変調装置を備えるプロジェクターに用いることも可能である。
【０１３５】
（第１０変形例）
前記実施形態のプロジェクター１は、光変調装置として透過型の液晶パネルを用いているが、反射型の液晶パネルを利用したものであってもよい。
【０１３６】
（第１１変形例）
前記実施形態では、光源１４１として発光ダイオードを用いているが、これに限定されるものではなく、例えば、半導体レーザーや有機ＥＬ（Electro Luminescence）素子、ＵＶランプ等を用いてもよい。
【０１３７】
（第１２変形例）
前記実施形態の光源１４１は、発光領域が矩形状に形成されているが、矩形状に限らず他の形状、例えば、円形や楕円形であってもよい。
【０１３８】
（第１３変形例）
前記実施形態の蛍光体層１４２は、光軸２４３Ｃに対して第２発光領域４１２に対称となる第１発光領域４１１に形成されているが、対称性は必須ではない。要は、光軸２４３Ｃに対して第２発光領域４１２に対称となる領域を含むように、蛍光体層１４２を設ければよい。第２発光領域４１２から射出され、波長選択素子２４４によって反射された第２の励起光の光路上に蛍光体層１４２が設けられていればよい。
また、第１発光領域４１１と第２発光領域４１２とが、光軸２４３Ｃに直交する平面における形状が相似形となるように形成してもよい。
この構成によれば、集光光学系２４３に対する第２発光領域４１２と蛍光体層１４２との距離が異なっても、第２発光領域４１２から射出された第２の励起光を効率良く蛍光体層１４２に導くことが可能となる。よって、集光光学系２４３に対する光源１４１および蛍光体層１４２の配置位置の自由度の向上を図りつつ、第２発光領域４１２から射出される第２の励起光を効率良く蛍光体層１４２に照射することが可能となる。
【０１３９】
第１乃至４実施形態では、本発明による光源装置をプロジェクターに搭載した例を示したが、これに限られない。本発明による光源装置は、照明器具や自動車の前照灯などにも適用することができる。
【符号の説明】
【０１４０】
１、１００…プロジェクター、２，７…光源装置、３，１３，２３，３００…光学ユニット、４，６…第１光源装置、５…第２光源装置、３０，１４１…光源（発光素子）、１０ａ，１０ｂ…発光素子、２０，４２，６２Ｇ，６２Ｒ，１４０，１４２，…蛍光体層、３７，１０４…投写レンズ、４１，４１Ａ，４１Ｂ…ＬＥＤ素子（発光素子）、４３…透明基材（導光部）、４４…ダイクロイックミラー（反射素子）、４５Ａ…第１発光領域、４５Ｂ…第２発光領域、４６ｂ…傾斜部、４９…ミラー部材（反射素子）、５０Ｃ…主光線、９０…第１レンズアレイ、９０ａ…第１レンズ、１０１Ｒ，１０１Ｇ，１０１Ｂ…光源装置、１０２Ｒ，１０２Ｇ，１０２Ｂ…光変調装置、１４１ａ，１４１ｂ…第２の励起光、１４５，６４，７１Ｒ，７１Ｇ…補正部、２０５…マイクロミラーデバイス、２４３…集光光学系（導光部）、２４３Ｃ，４３Ｃｇ，２４３Ｃｒ…光軸、２４４…波長選択素子（反射素子）、３６１，３６１Ｂ，３６１Ｇ，３６１Ｒ…液晶ライトバルブ、４１１…第１発光領域、４１２…第２発光領域、Ｌ１…青色光（第１の波長帯の光）、Ｌ２…赤色光（第２の波長帯の光）。
【図１】
2015135461.tif 000003
【図２】
2015135461.tif 000004
【図３】
2015135461.tif 000005
【図４】
2015135461.tif 000006
【図５】
2015135461.tif 000007
【図６】
2015135461.tif 000008
【図７】
2015135461.tif 000009
【図８】
2015135461.tif 000010
【図９】
2015135461.tif 000011
【図１０】
2015135461.tif 000012
【図１１】
2015135461.tif 000013
【図１２】
2015135461.tif 000014
【図１３】
2015135461.tif 000015
【図１４】
2015135461.tif 000016
【図１５】
2015135461.tif 000017
【図１６】
2015135461.tif 000018
【図１７】
2015135461.tif 000019
【図１８】
2015135461.tif 000020
【図１９】
2015135461.tif 000021